(57)【要約】【課題】  パワーショベルのバケットに、簡単な操作で取り付けることが可能で、法面の掘削や造成に適用できる器具を提供する。【解決手段】  板状の部材の一方の面に、地表面を掘削するための爪２ａ，２ｂが配列されてなり、前記板状の部材の他方の面に、油圧ショベルのバケットの歯に係合可能な第一の接合手段３が、少なくとも１箇設けられ、前記板状の部材の両面のいずれかの面に、油圧ショベルのバケットの本体に係合可能な第二の接合手段４が設けられてなる構造の、掘削用器具１を構成する。これを油圧ショベルのバケット本体に取り付け、爪２ａ，２ｂが設けられた側の面を地表面に当接させ、法面の掘削や造成を行うことができる。【選択図】図１
2016061132.tif 000002
【特許請求の範囲】
【請求項１】
板状の部材の一方の面に、地表面を掘削するための爪が配列されてなり、前記板状の部材の他方の面に、油圧ショベルのバケットの歯に係合可能な第一の接合手段が、少なくとも１箇設けられ、前記板状の部材の両面のいずれかの面に、油圧ショベルのバケットの本体に係合可能な第二の接合手段が設けられてなることを特徴とする、掘削用器具。
【請求項２】
前記第二の接合手段は、前記油圧ショベルのバケットの本体に設けられてなる水抜き用貫通孔に係合可能な構造を有することを特徴とする、請求項１に記載の掘削用器具。
【請求項３】
前記第二の接合手段は、二つの部材を備え、前記二つの部材を一定範囲内の任意の位置での係合を可能とする第三の接合手段を備えてなり、全長が調整可能であることを特徴とする、請求項１または請求項２に記載の掘削用器具。
【発明の詳細な説明】
【技術分野】
【０００１】  本発明は、油圧ショベルのバケットに取り付け可能で、主に法面の掘削に用いることができる掘削用器具に関するものである。
【背景技術】
【０００２】  油圧ショベルは、パワーショベルとも称されているが、この名称は国内の製造メーカーの商品名である。これは自走式の建設機械で、主に掘削作業に用いられる。この掘削作業は、油圧で作動するブームの先端に取り付けられるバケットを、掘削を行う対象面に当接させた状態で、手前に引くというのが一般的である。【０００３】  そして、油圧ショベルの用途拡大を目的に、様々なアタッチメントが提案されている。例えば特許文献１には、横長且つ平坦状であって、裏面側に長手方向に沿う補強横リブが設けられ、前後端部にそれぞれ削刃を備えた押板を有する、法面造成作業用バケットが開示されている。【０００４】  また、特許文献２には、用途に応じてバケットの歯が交換可能となっている、バケットの歯の取付構造が開示されている。法面造成は、油圧ショベルの重要な用途であるが、前記特許文献に開示されている方法は、バケットのセット替えに要する手数や時間を考慮すると、改善の余地がある。
【先行技術文献】
【特許文献】
【０００５】
【特許文献１】  特開２００２−０３８５１３号公報
【特許文献２】  特開２０１４−０７０４４７号公報
【発明の概要】
【発明が解決しようとする課題】
【０００６】  従って本発明の課題は、パワーショベルのバケットに、簡単な操作で取り付けることが可能で、法面の掘削や造成に適用できる器具を提供することにある。
【課題を解決するための手段】
【０００７】  本発明は、前記課題を解決するための、法面の掘削や造成に適した器具の構造と、当該器具のバケットへの取り付け構造を検討した結果なされたものである。【０００８】  即ち、本発明は、板状の部材の一方の面に、地表面を掘削するための爪が配列されてなり、前記板状の部材の他方の面に、油圧ショベルのバケットの歯に係合可能な第一の接合手段が、少なくとも１箇設けられ、前記板状の部材の両面のいずれかの面に、油圧ショベルのバケットの本体に係合可能な第二の接合手段が設けられてなることを特徴とする、掘削用器具である。【０００９】  また、本発明は、前記第二の接合手段が、前記油圧ショベルのバケットの本体に設けられてなる水抜き用貫通孔に係合可能な構造を有することを特徴とする、前記の掘削用器具である。【００１０】  また、本発明は、前記第二の接合手段が、二つの部材を備え、前記二つの部材を一定範囲内の任意の位置での係合を可能とする第三の接合手段を備えてなり、全長が調整可能であることを特徴とする、前記の掘削用器具である。
【発明の効果】
【００１１】  本発明に係る、掘削用器具は、片面に地表面を掘削するための爪が配置され、油圧ショベルのバケットの爪に係合するための第一の接合手段と、例えばバケット本体に設けられている水抜きの貫通孔に係合するための、構造を有する第二の接合手段が設けられているので、必要に応じて、簡単に既存のパワーショベルのバケットに取り付けることができ、法面造成専用のバケットを別途に準備する必要がなくなる。【００１２】  また、本発明に係る掘削用器具の第二の接合手段は、第三の接合手段により、一定範囲内で長さの調整が可能なので、取付対象のバケットの大きさや形状が異なっても、取り付けが可能である。
【図面の簡単な説明】
【００１３】
【図１】  本発明に係る掘削用器具の一例を示す斜視図、図１（ａ）は掘削用の爪が設けられた側の面、図１（ｂ）は第一の接合手段及び第二の接合手段が設けられた側の面。
【図２】  パワーショベルのバケットに、本発明に係る掘削器具を取り付けた状態を示す側面図。
【図３】  本発明に係る掘削用器具の第二の接合手段の一例を示す斜視図。
【図４】  パワーショベルのバケットの一例を示す斜視図。
【発明を実施するための形態】
【００１４】  次に本発明の実施の形態について、具体的な図を参照しながら説明する。
【００１５】  図１は、本発明に係る掘削用器具の一例を示す斜視図で、図１（ａ）は掘削用の爪が設けられた側の面、図１（ｂ）は第一の接合手段及び第二の接合手段が設けられた側の面である。図１において、１は掘削用器具、２ａ、２ｂは掘削用の爪であり、掘削用爪２ａと掘削用爪２ｂはそれぞれ形状が異なっている。また、３は第一の接合手段、４は第二の接合手段である。
【００１６】  図２は、パワーショベルのバケットに、本発明に係る掘削器具を取り付けた状態を示す側面図である。図２において、５は第二の接合手段４に設けられたバケット本体への係合用部材、６はバケット本体、７はバケットの歯である。第一の接合手段３は、図１に示したように、棒状部材をコの字状に曲げて掘削器具に接合したもので、バケットの歯７を嵌合させるものである。
【００１７】  また、第二の接合手段４の先端には、係合用部材５が設けられていている。ここでは図示していないが、バケット本体６には、野外での保管の際に雨水が溜まらないようにしたり、水分の多い土砂を掬った際の水を抜いたりするための貫通孔が設けられているので、これに係合用部材５を係合して、バケット本体６へ、掘削用器具１の固定することができる。
【００１８】  図３は、図１及び図２に示した、本発明に係る掘削用器具の第二の接合手段４の一例を示す斜視図である。図３において、４ａは第二の接合手段を構成する第一の部材、４ｂは第二の接合手段を構成する第二の部材、８は二つの部材を固定するための固定手段である。ここに示したように、第二の固定手段４は二つの部材から構成され、第二の部材４ｂの側には、長穴が設けられ、固定手段８で固定可能となっている。ここに示した固定手段８は、第一の部材４ａ側に螺合可能なボルトで構成されている。これによって、第二の接合手段４の長さは、一定範囲内で調整可能で、バケット本体６大きさに合わせて伸縮できる
【００１９】  図４は、既存のパワーショベルに用いられるバケットの一例の斜視図である。これに、図に示したように、本発明に係る掘削器具１を取り付けて、法面を造成する地表面の押し付け、バケットを作動することで、法面の掘削や造成作業を行うことができる。
【００２０】  なお、本発明は、前記実施の形態に限定されるものではなく、例えば、ボルト以外の手段で第二の接合手段を固定するような、本発明の分野における通常の知識を有する者であれば想到し得る、各種変形、修正を含む、本発明の要旨を逸脱しない範囲の設計変更があっても、本発明に含まれることは勿論である。
【符号の説明】
【００２１】１・・・掘削用器具
２ａ，２ｂ・・・掘削用の爪
３・・・第一の接合手段
４・・・第二の接合手段
４ａ・・・第一の部材
４ｂ・・・第二の部材
５・・・係合用部材
６・・・バケット本体
７・・・歯
８・・・固定手段
【図１】
2016061132.tif 000003
【図２】
2016061132.tif 000004
【図３】
2016061132.tif 000005
【図４】
2016061132.tif 000006